(57)【要約】【課題】  ３０歳代後半から４０歳代の女性のバストに多い、柔らかくなって重力により下垂して上部に削げが生じたバストであっても、カップ部がバストに十分にフィットして、かつ造形性を高めることができるブラジャー等のカップ部を有する衣類を提供する。【解決手段】  補助カップ３は、本体カップ２の表面に、上下方向においては本体カップ２における少なくとも下カップ部２２，２３の中途から本体カップ上辺２ａまでを覆い、左右方向においては本体カップ２の前中心部から脇端辺２ｃまでを覆うようにして被覆され、補助カップ３と本体カップ２とは、両カップの前中心部及び脇端辺において互いに逢着されており、補助カップ３の脇上端部は、本体カップ３の脇上端部と肩紐６との縫着部２Ｎを上方に越えた位置で肩紐６に縫着され、かつ補助カップ３の上辺における少なくとも肩紐６との縫着部に隣接する部分は、本体カップ２と遊離していることを特徴とする。【選択図】  図１
2010174413.tif 000002
【特許請求の範囲】
【請求項１】
本体カップと補助カップからなるカップ部を有する衣類であって、
前記補助カップは、前記本体カップの表面に、上下方向においては本体カップにおける少なくとも下カップ部の中途から本体カップ上辺までを覆い、左右方向においては前記本体カップの前中心部から脇端辺までを覆うようにして被覆され、
前記補助カップと前記本体カップとは、両カップの前中心部及び脇端辺において互いに逢着されており、
前記補助カップの脇上端部は、前記本体カップの脇上端部と肩紐との縫着部を上方に越えた位置で前記肩紐に縫着され、かつ前記補助カップの上辺における少なくとも前記肩紐との縫着部に隣接する部分は、前記本体カップと遊離していることを特徴とするカップ部を有する衣類。
【請求項２】
前記補助カップの下部は上部よりも伸縮し難いものであることを特徴とする請求項１に記載のカップ部を有する衣類。
【請求項３】
前記補助カップと前記本体カップとの前記前中心部における縫着は、カップワイヤー部の前中心側端部を含む箇所において縫着されていることを特徴とする請求項１又は２に記載のカップ部を有する衣類。
【請求項４】
前記補助カップの前記脇端辺の下部は、土台布とバック布との縫着部まで延びて縫着されていることを特徴とする請求項１〜３のいずれか１項に記載のカップ部を有する衣類。
【請求項５】
前記補助カップの下辺は、バストトップからカップワイヤー部の最下部までの３分の２の位置から２０％上下の範囲内の位置を通ることを特徴とする請求項１〜４のいずれか１項に記載のカップ部を有する衣類。
【発明の詳細な説明】
【技術分野】
【０００１】
本発明は、衣類、特にカップ部を有する衣類に関するものである。
【背景技術】
【０００２】
従来から、ブラジャー等のカップ部を有する衣類においては、バストの形状を補整しかつ着用感に優れたものとするために、種々の工夫がなされてきた。
その中には、特許文献１、特許文献２のように、カップ部の表側に補助的な布片を取り付けて、バストの造形性を高めようとする技術が存在する。
例えば、特許文献１においては、カップの表側に補強布を重ねて設け、その下辺はカップに結合し、上端は肩紐に取り付けて、補強布が肩紐によって引かれることで、カップを前中央に引き寄せて、バストを寄せ上げる技術が開示されている。
また、特許文献２には、カップの表側に分離カップをバストトップからカップ下辺までを覆うように設け、分離カップにおけるカップ下部の上下方向中央部を強パワーとするとともに、分離カップ上端を肩紐に取り付けて、肩紐によって分離カップが引かれてバストが中央に寄せ上げられる際に、バストの全重量が肩紐に加わらないようにした技術が開示されている。
【特許文献１】特開２００７−１５４３２６号公報
【特許文献２】特開２００５−２８１９２０号公報
【発明の開示】
【発明が解決しようとする課題】
【０００３】
これらの特許文献１，２に記載の技術においては、バストを効果的に中心部に引き寄せかつ引き上げることで造形性を高めることができ、また、その際に特許文献２においては肩紐を介して肩に掛かる力が過重にならず着用感を改善することができる。
ところが、一般的に、３０歳代後半から４０歳代の女性のバストは、柔らかくなって重力により下垂して上部に削げが生じている。このようなバストの場合、従来の造形性を高めたブラジャーを使用して、脇側から前中心側やバストトップに向けて力を加えても、バスト上部までは必ずしも十分にボリュームを満たすことができなかった。
そのため、カップ上部がバストから離れて浮き上がってしまう現象である「浮き」が生じてしまい、カップがバストにフィットせず、バストの造形においても着用感においても満足できない問題があった。特に、この傾向は、フルカップブラジャーに比べてバストの寄せ上げ機能が高いとされる３／４カップブラジャー等に顕著である。
そして、補助布を用いてバストの寄せ上げを補助するものである特許文献１や特許文献２の技術も、前記のような問題を解決するものではなかった。
【０００４】
本発明は、これらの問題点を解決するためになされたもので、３０歳代後半から４０歳代の女性のバストに多い、柔らかくなって重力により下垂して上部に削げが生じたバストであっても、カップ部がバストに十分にフィットして、かつ造形性を高めることができるブラジャー等のカップ部を有する衣類を提供することを目的とする。
【課題を解決するための手段】
【０００５】
本発明に係るカップ部を有する衣類は、本体カップと補助カップからなるカップ部を有する衣類であって、補助カップは、本体カップの表面に、上下方向においては本体カップにおける少なくとも下カップ部の中途から本体カップ上辺までを覆い、左右方向においては本体カップの前中心部から脇端辺までを覆うようにして被覆され、補助カップと本体カップとは、両カップの前中心部及び脇端辺において互いに逢着されており、補助カップの脇上端部は、本体カップの脇上端部と肩紐との縫着部を上方に越えた位置で肩紐に縫着され、かつ補助カップの上辺における少なくとも肩紐との縫着部に隣接する部分は、本体カップと遊離していることを特徴とする。
【０００６】
本発明によれば、本体カップの表側に被覆された補助カップが、前中心部は本体カップの前中心部に縫着されており、一方、補助カップの脇上端部はカップ本体とは別になっていて、本体カップの脇上端部と肩紐との縫着部を上方に越えた位置で肩紐に縫着され、かつ補助カップの上辺における少なくとも肩紐との縫着部に隣接する部分は、本体カップと遊離している。そのため、着用時に、補助カップの上辺における少なくとも肩紐との縫着部に隣接する部分は、本体カップとは遊離した状態で肩紐によって斜め上の方向に引き上げられる。
その際、補助カップは本体カップの上辺までを覆っていることから、補助カップの上部が本体カップの上部を抑えることになり、本体カップ上部がバストから浮くことを抑制することができる。
【０００７】
さらに、補助カップと本体カップとは、左右方向においては前中心部と脇端辺が縫着された状態で、かつ補助カップは本体カップの少なくとも下カップ部の中途から上を覆っていることから、本体カップと補助カップの両方がそれぞれバック方向に緊締された上で、肩紐によって斜め上の方向に引き上げられることで、バストがトップ方向に寄せ上げられる。
なお、下垂したバストの場合、バストの下辺から持ち上げるよりは、むしろ、中途から上方に押圧する方が補整に効果的である。
そして、このように本体カップが本来備えているバストの造形機能と補助カップによる造形機能によって、バストが補整された際に、前記のとおり、補助カップの作用によって本体カップ上部がバストから浮くことが抑制されるから、従来のように、フィット感やバストの造形が低下することがない。
【０００８】
また、本発明において、補助カップの下部は上部よりも伸縮しないものである場合は、補助カップによるバストの寄せ上げ作用はより強力なものとすることができる。
【０００９】
また、本発明において、補助カップと本体カップとの前中心部における縫着は、カップワイヤー部の前中心側端部を含む箇所において縫着されている。
その場合、補助カップが肩紐による引張り力の作用を受ける際の本体カップとの固定部が、カップワイヤー部であることから、十分な支持力を有し、補助カップの肩紐によって引き上げられる作用がより十分に達成できる。
【００１０】
また、本発明において、補助カップの脇端辺の下部が、土台布とバック布との縫着部まで延びて縫着されている場合は、補助カップは、土台布とバック布との縫着部である強固で安定した箇所でしかもバック布によるバック方向への引張りが作用する箇所に直接結合されていることから、より強力にバストを安定的に緊締することができる。
【００１１】
また、本発明において、補助カップの下辺は、バストトップからカップワイヤー部の最下部までの３分の２の位置から２０％上下の範囲内を通る。
その場合、下垂したバストについては、バストの下辺から持ち上げるよりは、むしろ、中途から上方に押圧する方が効果的であることから、補助カップの下辺が、バストトップからカップワイヤー部の最下部までの３分の２の位置から２０％上下の範囲内に位置することで、バストを上げるのに効果的な、トップからほぼ３分の２あたりから上のバストに対して寄せ上げることができる。
【発明の効果】
【００１２】
本発明によれば、３０歳代後半から４０歳代の女性のバストに多い、柔らかくなって重力により下垂して上部に削げが生じたバストであっても、カップ部がバストに十分にフィットして、かつ造形性を高めることができるブラジャー等のカップ部を有する衣類を提供することができる。
【発明を実施するための最良の形態】
【００１３】
以下、図面に基づいて、本発明によるカップ部を有する衣類の好適な実施形態について詳細に説明する。
図１は、本発明の実施形態の３／４カップのブラジャー１を、補助カップ３を分離した状態で表側から見た斜視図である。図２は、補助カップ３を取り付けたブラジャー１の表側の斜視図である。また、図３は、図２に示すブラジャー１を裏から見た図である。なお、ブラジャー１は、補助カップ３も含めて左右対称であるため、左右の一方のみによって説明する。
図１のとおり、本体カップ２は、上カップ部２１、第１下カップ部２２、第２下カップ部２３、脇カップ部２４からなり、これらを接ぎ合わせライン２Ｌ１〜２Ｌ３に沿って接ぎ合わせることで、バストトップ２Ｔを頂部とするカップ状の立体形状に形成されている。
本体カップ２の脇から下部にかけて、非伸縮性の土台布４が逢着され、本体カップ２はそれによって支持されている。
さらに、土台布４の脇側には伸縮性のバック布５が縫着されている。
また、本体カップ２の脇上端には、強い伸縮力の肩紐６の端部が、縫着部２Ｎにおいて縫着されている。
【００１４】
図３に示すように、本体カップ２の下辺２ｂと土台布４との境界、すなわちバージスラインに沿って、裏側には厚手の布からなるテープ７ｔが縫着されており、その中にカップワイヤー７１が装着されている。これらによって、カップワイヤー部７が形成されている。
本体カップ２の各部を接ぎ合わせた接ぎ合わせライン２Ｌ１〜２Ｌ３の裏面には、薄手のテープ２ｔ１〜２ｔ３が縫着されている（２Ｌ２の裏面の２ｔ２は図示せず）。
本体カップ２の裏面すなわち肌側には、バストの造形をより高めるためにパッド８が、テープ２ｔ１と７ｔ内に、それぞれ上辺及び下辺を縫い合わされて取り付けられている。
また、土台布４とバック布５との縫着部９の裏面には、テープ９ｔが縫着され、その中に補強材である脇ボーン９１が装着されている。
また、土台布４とバック布５の下辺全長に渡って、伸縮性のテープ１０ｔ１が縫着され、バック布５と土台布４の上辺全長から、本体カップ２の脇端辺２ｃに渡って同じく伸縮性のテープ１０ｔ２が縫着されている。なお、裏面においては、左右の本体カップ２の間の前中心部においても、テープ１０ｔ３、１０ｔ４が縫着されている。
【００１５】
ここで、本体カップ２を、前記のように各部２１〜２４を接ぎ合わせて形成せず、一体的に作製することも可能である。また、パッド８、カップワイヤー７１、脇ボーン９１については、必ずしも備えなくてもよい。
ただし、補助カップ３を取り付ける前の本体カップ２からなるブラジャーは、バストの造形機能を有するものであることが必要である。
【００１６】
次に、補助カップ３について、図１〜４によって説明する。
補助カップ３は、本体カップ２の下カップ部２２，２３の上側のほぼ３分の２と、上カップ部２１と脇カップ部２４の全部又は大部分を覆うように形成されている。補助カップ３の形状としては、本体カップ２のそれらの部分を合わせた形状に、台形状の脇上端部３３を加えた形状をなしている。
そして、立体的には、本体カップ２の形状に沿うようにされている。そのために、本体カップ２の接ぎ合わせライン２Ｌ１に沿って、接ぎ合わせライン３Ｌ１が形成されている。本実施形態においては、補助カップ３の上部３１は、下部３２に比べて伸縮性を有するレース地の布を用いて形成されている。そして、前中心側辺３ｃから脇側の中途までに切り込みを入れた後に寄せ合わせて接いでおり、本体カップ２の接ぎ合わせライン２Ｌ１に合わせた接ぎ合わせライン３Ｌ１を構成し、本体カップ２の表面側に沿う立体形状にされている。
また、補助カップ３の下部３２は、バストに対して寄せ上げる力を加えるのに適すように、非伸縮性又は伸縮性の少ない、パワーの強いレース地の布を用いて、上部３１に接ぎ合わせライン３Ｌ２において縫合している。
ここで、補助カップ上部３１と下部３２とは、それぞれ、相対的にパワーの弱い布とパワーの強い布であって、それらを縫合しているが、１枚の布において、３Ｌ２の部分でパワーを切り替えた生地を用いてもよい。布地に伸縮パワーの強弱をつけるには、弾性力の異なる糸、例えば太さの異なるポリウレタン糸によって各領域を編成すること、挿入する弾性糸の本数を各領域によって異ならせること、編組織をそれぞれの領域で異ならせること等によってなすことができる。
【００１７】
図４は、補助カップ３を裏から見た図である。
補助カップ３の脇上端部３３における脇斜め上辺３ｅには、伸縮性のテープ３ｔ１が縫着されており、肩紐６による引張力の上辺への伝達を補助している。
なお、本明細書においては、補助カップ３の上辺とは、本体カップ２の上辺２ａと合致する箇所に３ａの符号を付けて示す上辺３ａに、脇斜め上辺３ｅを合わせたものを意味している。
また、脇上端部３３の脇端辺３ｄ２からさらに下部の脇端辺３ｄ１にかけても、同様にテープ３ｔ２が縫着されている。
【００１８】
図２に、このような補助カップ３を本体カップ２の表面に取り付けて完成したブラジャー１を示す。
補助カップ３は、その上辺３ａを本体カップ２の上辺２ａと合致させ、そこから、本体カップ２の下カップ部２２，２３の上側のほぼ３分の２までを被覆している。ここで、補助カップ３の上辺３ａは、少なくとも本体カップ２の上辺２までに達していることが必要であるが、美観を向上させる等のために、さらに上方にまで形成されていてもよい。
そして、補助カップ３の前中心部である前中心側辺３ｃ上端部を、本体カップ２の前中心部に相当するカップワイヤー部７の前中心側端部７Ｐ１に合わせて、前中心側辺３ｃをカップワイヤー部７に沿って縫着している。
このように、補助カップ３の前中心側辺３ｃの全長をカップワイヤー部７に縫着して、縫着部３Ｎ１としている。しかし、肩紐６からの引張力によって本体カップ２の上部を抑える機能を果たすためには、補助カップ３の前中心部が本体カップ２の前中心部に強度上しっかりと連結されていることが肝要であり、そのためには、前中心側辺３ｃの上端部が強固に縫着されていれば、必ずしも前中心側辺３ｃの全長が縫着されている必要はない。
【００１９】
また、補助カップ３の脇端上辺３ｆが肩紐６に、縫着部３Ｎ２において強固に縫着される。ここで、縫着部３Ｎ２は、本体カップ２と肩紐６との縫着部２Ｎよりも、肩紐６の上方に越えた位置とされている必要がある。また、肩紐６からの引張力によって補助カップ３の上部が本体カップ２の上部を抑えるためには、補助カップ３が本体カップ２とは別体として機能する必要がある。そのため、補助カップ３の少なくとも縫着部３Ｎ２に隣接する上辺部分３ｅ、３ａは、本体カップ２とは遊離している。
本実施形態においては、補助カップ３の脇斜め上辺３ｅと上辺３ａの全体が本体カップ２から遊離している。ただし、補助カップ３の上辺３ａ部分が本体カップ２からのずり上がり等の上下のずれを防止するように、上辺３ａの中央部分の一箇所ｃ１で本体カップ２に留めている。下辺３ｂにおける留め部ｃ２も同様であるが、これらは、補助カップ３と本体カップ２との間での力の伝達や強度的な作用をなすためのものではない。
【００２０】
また、補助カップ３において、本体カップ２の上辺２ａから上方に突出した部分である脇上端部３３の脇端辺３ｄ２を除いて、脇端辺３ｄ１を３Ｎ３の部分で本体カップ２の脇端辺２ｃに縫着している。
この縫着部３Ｎ３は、下部においては、カップワイヤー部７の脇側端部７Ｐ３にまで達して、そこで強固に縫着されている。ここで、補助カップ３の本体カップ２と別体としての作用を増すためには、脇上端部３３の脇端辺３ｄ２は本体カップ２に縫着されていないことが望ましいが、場合によっては、脇斜め上辺３ｅとは異なって縫着されていても補助カップ３の上部における抑え機能が阻害されることはない。
【００２１】
補助カップ３の下辺３ｂは、本体カップ２のバストトップ２Ｔから、本体カップ２の下カップ部下辺２ｂにほぼ相当するカップワイヤー部７の最下部７Ｐ２までの３分の２の位置を通る。すなわち、図２において、バストトップ２Ｔからカップワイヤー部最下部７Ｐ２までの長さ（Ｄ１とＤ２の合計）に対して、バストトップ２Ｔから補助カップ下辺までの長さ（Ｄ１）が約３分の２にされている。
これは、特に、下垂したバストの場合、バスト全体をバスト下辺から持ち上げることは補整の効果が少なく、バストトップからバスト下辺に至る３分の２あたりから上の位置を上方に押すと効果が高いためである。このような効果を果たすためには、補助カップ３の下辺３ｂの通る位置としては、前記３分の２の位置から上下に、Ｄ１とＤ２の合計値の２０％の範囲内であることが好ましい。
また、補助カップ３の前中心側辺３ｃの本体カップ２への逢着部３Ｎ１は、カップワイヤー部７の前中心側端部７Ｐ１から始まり、当該前中心側端部７Ｐ１とカップワイヤー部の最下部７Ｐ２までのカップワイヤー部７に沿った長さの１／４〜３／４までとすることが好ましい。
それによって、補助カップ３の下端のそれ以外の部分はフリーな状態となり、補助カップ３がバストを持ち上げる際に、本体カップ２の下部から持ち上げる力はさらに必要ないこととなり、バストの補整作用を向上することができる。
このように、下辺３ｂは、本体カップ２とは別体となってバック側への引張力、及びトップ側への引き上げ力が伝達されることが好ましいことから、本体カップ２と遊離されている。ただし、中央部において前記ｃ１での説明と同様に、強度的な必要性ではなく、ずり上がり等を防止するために留め部ｃ２を設けている。
また、本実施形態では、必ずしも、補助カップ３の上下方向での被覆範囲は、本体カップ２の下カップ部２２，２３の中途までである必要はない。本体カップ２の下辺までの全体を覆った方が美観的に好ましい場合は、強パワーを備えないレースを補助カップ下部３２の下方に続けて設けてもよい。また、バスト全体を下辺から押し上げたい場合は、下部３２と同様にパワーの強い布地を下方に続けて設けてもよい。
【００２２】
このようなブラジャー１を着用すると、補助カップ３は肩紐６との縫着部３Ｎ２によって、肩紐６に沿って引き上げられる。
その際、補助カップ３の上辺３ａ、３ｅにおける少なくとも肩紐との縫着部３Ｎ２に隣接する部分は、本体カップ２とは遊離した状態で肩紐６によって斜め上の方向に引張力Ｐ１が作用する。そして、補助カップ３の上辺は本体カップの上辺２ａまでを覆っていることから、補助カップ３の上部が本体カップ２の上部を抑えることになり、本体カップ２上部がバストから浮くことを抑制することができる。
このように、本実施形態のブラジャー１においては、３０歳代後半から４０歳代のバストのように下垂して上部が削げたバストであっても、本体カップ２と補助カップ３からなるカップ部がバストにフィットした状態において、バストの補整、造形機能を達成することができる。
【００２３】
次に、図５に示す実施形態においては、補助カップ３の脇端辺３ｄ１における本体カップ２への縫着部３Ｎ３は、カップワイヤー部７の脇側端部７Ｐ３に強固に逢着されて、さらに、土台布４とバック布５との縫着部９にまで達して形成されている。
そのため、補助カップ３の特に下部３２は、カップ本体２を越えた位置で、しかも強度的にも強固な土台布４とバック布５との縫着部９によって、バック布５からの引張力Ｐ２を加えられることができる。その他の構成と作用は、図１〜４の実施形態と同様である。
この実施形態においては、補助カップ３の下部３２は、バック布５によるバック方向への引張力Ｐ２によって、カップの密着性を高められるとともに、本体カップ２を介してバストに緊締された状態で、肩紐６による引き上げ力によってバストに対する寄せ上げ力を作用させることができる。
【００２４】
また、図６に示す実施形態においては、補助カップ３の脇端辺３ｄ１における本体カップ２への縫着部３Ｎ３が、土台布４とバック布５との縫着部９にまで達し、さらに縫着部９に沿って形成されている。
そのため、補助カップ３の特に下部３２は、カップ本体２を越えた位置で、しかも強度的にも強固な土台布４とバック布５との縫着部９が下部３２の脇側の側辺を面的に引くことにより引張力Ｐ２を加えられることができる。その他の構成と作用は、図１〜４の実施形態と同様である。
【００２５】
また、各実施形態においては、カップワイヤー７１、カップワイヤー部７を備えるブラジャーを主として説明したが、本体カップ２についての説明で述べたように、カップワイヤーを備えないノンワイヤータイプのブラジャーであってもよい。
その場合、例えば、本体カップ２の脇カップ部２４を形成する布を他の本体カップ２の部分よりも堅めの布を用いることによって、バストの脇を強く押さえることで、カップワイヤーを備えなくとも、本体カップ２による造形を高める等の構成を採用することが好ましい。
なお、カップワイヤーを備えない場合であっても、補助カップ３の下辺３ｂの位置や逢着部３Ｎ１の始端、終端の好ましい位置は、カップワイヤー部７を基準に説明したことを本体カップ２の下カップ部下辺２ｂを基準に置き換えた場合と同様である。すなわち、補助カップ３の下辺３ｂは、バストトップ２Ｔから本体カップ２の下カップ部下辺２ｂの最下部までの３分の２の位置から２０％上下の範囲内の位置を通ることが好ましく、補助カップ３の前中心側辺３ｃの本体カップ２への逢着部３Ｎ１は、本体カップ２の下カップ部下辺２ｂの前中心側端部から始まり、当該前中心側端部と本体カップ２の下カップ部下辺２ｂの最下部までの本体カップ２の下カップ部下辺２ｂに沿った長さの１／４〜３／４までとすることが好ましい。
さらに、各実施形態においては、３／４カップブラジャーによって説明をしたが、バストの補整、造形機能を有するものであれば、フルカップブラジャー、１／２カップブラジャー等のタイプのブラジャーであってもよい。
また、各実施形態においては、バック布５の後端をホック等で掛け留めするタイプとしたが、前中心において土台布の左右を分離してホック等で掛け留めするフロントホックタイプであってもよい。
さらに、各実施形態においては、本発明の衣類をブラジャー１によって説明したが、ブラジャー以外でも、ブラスリップ、ブラキャミソール、ボディスーツ、カップ付きテディ、水着等のようにカップ部を備える衣類であれば適用可能である。
【実施例１】
【００２６】
図５に示す本発明の実施形態のブラジャー１を作製して、３０歳代後半から４０歳代のモニター１０名による評価を行った結果が表１〜３のとおりである。
ここで、本実施形態品に対して、対比を行った従来品は、出願人及び他社の商品であって、いずれも３０歳代後半から４０歳代の女性に好まれているものであり、３／４カップブラジャーにおける主要な商品で、次のとおりの特徴と仕様のものである。
従来品Ａ：「バストアップタイプ」とされている。カップ裏のシートでバストをすくい上げて、バストアップさせるタイプである。パッドは備えない。
従来品Ｂ：「脇スッキリで、しっかりバストアップタイプ」とされている。バック脇をしっかりサポートしてバストアップさせるようにされている。カップの脇肌側に脇寄せリジット素材が用いられている。パッドを備える。
従来品Ｃ：「脇スッキリで、しっかり谷間メイクタイプ」とされている。バック脇のシートとカップ脇のパネルで、サイドからすっきりさせて谷間をつくるようにさせている。カップの外脇側に脇寄せシートが備えられている。パッドを備える。
評価は、それぞれ、本発明の実施例と各従来品を対比して、どちらが優れていると感じたかを項目別に問うた。本発明の実施例が優れているとの回答を丸印で、どちらともいえないとの回答を三角で、従来品の方がよいとの回答の場合をばつ印で示している。
【表１】
2010174413.tif 000003
【００２７】
評価試験の結果によると、造形性すなわちバストの形が、従来の造形機能を持つブラジャーを着けた場合よりも良くなったと感じる人数が、どの従来品に対しても多かった。
また、着用感（フィット性）についても、本発明の実施例のものが快適だと感じる人数がどの従来品に対しても多く、特に、従来品Ｂ、Ｃに比べると圧倒的に多かった。
さらに、各従来品よりも本発明の実施例を着用したいと感じる人数が多かった。
【図面の簡単な説明】
【００２８】
【図１】本発明の実施形態のブラジャーにおいて、補助カップ３を分離した状態での表側斜視図である。
【図２】本発明の実施形態のブラジャーの表側斜視図である。
【図３】本発明の実施形態のブラジャーの裏面図である。
【図４】本発明の実施形態の補助カップの裏面図である。
【図５】本発明の他の実施形態のブラジャーの表側斜視図である。
【図６】本発明のさらに他の実施形態のブラジャーの表側斜視図である。
【符号の説明】
【００２９】
１‥ブラジャー、２‥本体カップ、２１‥上カップ部、２２‥第1下カップ部、２３‥第2下カップ部、２４‥脇カップ部、２ａ‥本体カップ上辺、２ｂ‥本体カップ下辺、２ｃ‥本体カップ脇端辺、２Ｌ１〜２Ｌ３‥接ぎ合わせライン、２Ｔ‥トップ部、２ｔ１〜２ｔ３‥テープ、２Ｎ‥縫着部、３‥補助カップ、３１‥補助カップ上部、３２‥補助カップ下部、３３‥補助カップ脇上端部、３ａ‥補助カップ上辺、３ｂ‥補助カップ下辺、３ｃ‥補助カップ前中心側辺、３ｄ１、３ｄ２‥補助カップ脇端辺、３ｅ‥補助カップ脇斜め上辺、３ｆ‥補助カップ脇端上辺、３Ｌ１、３Ｌ２‥接ぎ合わせライン、３ｔ１、３ｔ２‥テープ、３Ｎ１〜３Ｎ３‥縫着部、４‥土台布、４ａ‥土台布上辺、５‥バック布、６‥肩紐、７‥カップワイヤー部、７１‥カップワイヤー、７ｔ‥テープ、７Ｐ１‥カップワイヤー部の前中心側端部、７Ｐ２‥カップワイヤー部の最下部、７Ｐ３‥カップワイヤー部の脇側端部、８‥パッド、９‥土台布とバック布縫着部、９１‥脇ボーン、９ｔ‥テープ、１０ｔ１〜１０ｔ４‥テープ、Ｃ１、Ｃ２‥留め部、Ｐ１、Ｐ２‥引張力
【図１】
2010174413.tif 000004
【図２】
2010174413.tif 000005
【図３】
2010174413.tif 000006
【図４】
2010174413.tif 000007
【図５】
2010174413.tif 000008
【図６】
2010174413.tif 000009